(57)【要約】      （修正有）【課題】停電時に自動点灯しコンセントからの脱着が可能で、避難時に携行できる機能を併せ持ち人体に装着できる照明装置で、水没時にも点灯し続ける防水機能を持ち、ＡＣ１００Ｖ又はＤＣ１２Ｖでも充電出来る災害対策用充電式ＬＥＤ照明装置を提供する。【解決手段】災害対策用ＬＥＤ照明装置は、２個から７５個程度のＬＥＤ発光体、光の反射板を持つ平板、ならびに、ＡＣ１００Ｖ電源を供給するための電源供給口、ＤＣ１２Ｖ充電用差し込み口および充電電池を有し、停電時自動的にＬＥＤ発光体が点灯するように組み込んだ充放電回路が箱に収納されている。各部品は防水施工処理され、人体やペットに装着するためのベルト７が取り付けられている。【選択図】図２
0003212100.tif 000002
【実用新案登録請求の範囲】
【請求項１】
災害対策用ＬＥＤ照明装置であって、
（１）２個から７５個程度のＬＥＤ発光体、
（２）光の反射板を持つ平板、ならびに、
（３）ＡＣ１００Ｖ電源を供給するための電源供給口、ＤＣ１２Ｖ充電用差し込み口および充電電池を有する、停電時自動的にＬＥＤ発光体が点灯するように組み込んだ充放電回路を箱に収納してなる、災害対策用ＬＥＤ照明装置。
【請求項２】
各部品を防水施工処理したことを特徴とする、請求項１記載の災害対策用ＬＥＤ照明装置。
【請求項３】
人体やペットに装着するためのベルトが取り付けてなる、請求項１記載の災害対策用ＬＥＤ照明装置。
【請求項４】
照度センサーをさらに内蔵したことを特徴とする、請求項１記載の災害対策用ＬＥＤ照明装置。
【考案の詳細な説明】
【技術分野】
【０００１】
本考案は、停電時に自動点灯と、携行できる機能を併せ持つ災害対策用ＬＥＤ照明装置に関する。
【背景技術】
【０００２】
従来から電源供給不可時に自動点灯する非常用照明装置は、消防の救助作業の照明確保の非常灯や避難誘導が目的の誘導灯があるが、停電即点灯する仕組みにはなっているが、固定式で、もともと携行型を想定していない。また一般住宅には馴染みがなく、住宅には携行型懐中電灯が普及している。
【０００３】
現代社会では、電気の灯りは当然のごとく受け止められ、恩恵を受けているが、一旦地震や津波・土砂崩れ・河川の氾濫などの自然災害や事件・事故による火災が発生したときに起こりうる停電についての対処方法が人によりまちまちである。自然災害時は避難を余儀なくされる場合があり、特に夜間に地震が発生し停電となった時は、家の中は真っ暗で、いろいろな物が落ちたり、散乱したり足の踏み場もなく避難にも支障をきたすケースがある。ましてや大津波が発生した東日本大震災の記憶は鮮明に蘇る。
【０００４】
現在、停電時自動点灯の電球が開発されている。またコンセントから脱着可能で持ち運びでき５００回充電可能なＬＥＤ照明装置も停電対策用として商品化されているが、避難時の一般的な照明は、コンセントで充電する懐中電灯やヘッドライトなどが販売されている。
【考案の開示】
【考案が解決しようとする課題】
【０００５】
しかしながら、特に一般住宅での誘導灯の働きをする長時間の充電容量が得られ照度センサー内蔵で効率的な点灯が出来る停電時自動点灯照明装置で、併せて避難時は迅速に簡単に体に装着し両手が使える状態で携行出来る防水処理など避難行動を想定した災害対策用照明装置はなかった。
【課題を解決するための手段】
【０００６】
暗闇の中で逃げ惑う避難民の命を救う一つの道具を提供することが今回の登録願いである。
それは、停電が起きたと同時に発光するので、真っ暗やみの中でも、簡単に装置を探す事が出来る。その装置をいち早く人体に密着させ一体化させることで、たとえば被災者が気を失ったり、動けない状態に陥ったとしても、装置の発光により、その居場所をより発見できる装置を考案した。
【０００７】
まず、前提の条件を満たすには、装置に防水施工処理は必須である。
本考案はいかなる条件下でも防水機能を有する必要が生じるため防水処置が必要とする個所を検討する。まず、充電電池を定期的に取り換えるための電池ケースの防水、機能部品を収納するためのケースの防水などがあげられる。これらの防水処理は既存の発明で行うことが出来る。
【０００８】
本装置は、ＬＥＤ発光体を２個〜７５個程度持つが、電源の消費などを考慮して１５個程度に止めると長時間にわたり発光することが出来る。このＬＥＤ発光体を光の反射板を持つ平板に取り付け防水処理を施す。なお、半初番は平板に限らず、かまぼこ状板・平板を二枚組み合わせた逆Ｖ字型板・台形板や凸状板などの形状をしても良い。また、発光体の数は任意で決めることが出来る。
【０００９】
ＬＥＤ発光体を取り付けた箱は概ね８ｘ１０Ｃｍ程度の箱で、箱の中には停電時、自動的にＬＥＤ発光体が点灯するように組み込んだ回路を持つ自動点灯回路を収納しておく。
さらに平常時にはＡＣ１００Ｖ電源で充電できるようにしておき、またＤＣ１２Ｖの車からも充電できるようにすれば停電時にも充電が可能となる。この充電電池はニッケル水素電池を使用することで長時間の充電容量が得られ（例フル充電時の５年後は約    ７０％の電池容量）、１００から数千回の充電が可能と長寿命である。
【００１０】
この充電電池を長期間にわたり充電容量をたもつには平常時コンセントに差し込まれたままの状態では過充電となり電池寿命を極度に短くしてしまう。これを防ぐために充電電池に電圧の変化で充放電を選択する回路とリレーを（電子スイッチでもよい）組み込んでおくとメーカー発表に近い寿命が得られる。
【００１１】
さらに、非常時には両手を自由に使えるように手で持って照らすことはせず人体やペットに装着できるようにベルトが取り付けてあり、またよりすばやく体に装着できるようズボンのベルトなどにフックを用いて装着できる２通りの装着方法を装備、また手で持つことも可能である。さらに横向きでも装着できるようにフックの向きを９０度回転させて引掛けるフックが取り付けてあり、縦・横どの向きでも取り付けが出来る。
【００１２】
充電時、壁などに取り付けて吊るせるように、フックが架かるようにしてある。
ＬＥＤランプの取り付け面は平板とする、照らす方角は前方無指向性である
【００１３】
停電時に自動点灯し、コンセントからの脱着が可能で、避難時などは携行できる機能を併せ持ち人体やペットに装着できる照明装置で、水没時にも点灯し続ける完全防水機能を持ち、ＡＣ１００Ｖ又はＤＣ12Ｖでも充電出来る充電式ＬＥＤ照明装置である。
【００１４】
停電が、太陽光の恩恵を受けている朝から夕方にかけて起きる場合を考慮し、不要の点燈時間帯をなくした照度センサー内蔵の照明装置である。
【考案の効果】
【００１５】
本考案に係る停電時自動点灯と、携行できる機能を併せ持つＬＥＤ照明装置は、近い将来日本列島を襲うといわれている大地震や大津波など自然災害が現実に起きた時、最優先事項であるいかにして人命を守るかのために、１つのグッズを考案しました。
災害が夜間に発生し停電が起きた時は、まず灯りが必要であり、避難を余儀なくされるケースもある。
そこで、停電発生で即時点灯し、日常充電しているコンセントから取り外し、避難時は両手が使える無指向性に近い携行照明として、２つの機能を有した軽量・コンパクトな防水処理をした照明装置である。
【考案を実施するための形態】
【００１６】
一般に普及している充放電回路を用いるため安価に出来る。また、電池を使用することで、携行に必要な軽量化・コンパクト化が図れる。
【００１７】
充放電回路は以下の通りで、既存の充放電回路を用いても良い。
充電電池はニッケル水素電池、又は同等以上の性能を持つ単三を４個用い、直列接続としＤＣ４．８Ｖの充電電池とする。
また充電にはACアダプターを用いＤＣ12Ｖで供給して本体内部でＤＣ５．２Ｖに変換してＤＣ５．２Ｖで充電して、この電気が加圧された時ＬＥＤランプは点灯しないような回路とし停電時には加圧が解除されるのでＬＥＤランプが点灯するようにする。この時スイッチング回路にはマイクロリレー又は電子リレー回路を用いても良く、充電電池がフル充電となった時スイッチング回路に放電回路に切り替わるようにする、簡単に切り替え装置である。
【図面の簡単な説明】
【００１８】
【図１】災害対策用ＬＥＤ照明装置の全体図である。
【図２】裏面にベルトを取り付けてある斜視図である。
【図３】電池ボックスのイメージ図である。
【図４】裏蓋取り付け部分の断面図である。
【符号の説明】
【００１９】
１  ＬＥＤ光を反射させる反射板
２  裏蓋
３  ＬＥＤ発光体
４  光を通す防水板
５  完全防水にするための裏蓋取り付け部分の接合部
６  フック
７  ベルト
７ａ  ベルト接合具
８    ネジ穴
９    ＤＣ１２Ｖ充電用差し込み口
１０  照度センサー用窓
１１  充電電池
１２  電源供給口
【図１】
0003212100.tif 000003
【図２】
0003212100.tif 000004
【図３】
0003212100.tif 000005
【図４】
0003212100.tif 000006